(57)【特許請求の範囲】
【請求項１】
蓋体とケース本体とを組み付け、固定手段を用いて組み付け状態の前記蓋体と前記ケース本体とを固定することにより形成され、前記固定手段により固定された固定部を破壊することにより前記組み付け状態が解除可能な基板ケースと、
前記基板ケース内に収容されて、前記蓋体または前記ケース本体に取り付けられるとともに、取り付けられた側の前記蓋体または前記ケース本体で電子部品を実装する実装面が被覆される制御基板と、
前記制御基板の一部からなる制御基板側固着部と、
前記制御基板が取り付けられる前記蓋体または前記ケース本体であって、前記固定部とは異なる箇所に配設される基板ケース側固着部と、
前記制御基板側固着部と前記基板ケース側固着部とを取り外し困難に固着する固着手段と、
前記制御基板における前記制御基板側固着部の周囲を取り囲んで、前記蓋体と前記ケース本体との組み付け状態の解除に連係せず前記制御基板側固着部を前記制御基板から任意に分離可能であって、前記制御基板側固着部を分離させた場合であっても前記制御基板の機能に影響を与えることがない脆弱部と、
を具備することを特徴とする遊技機用制御基板ユニット。
【発明の詳細な説明】
【技術分野】
【０００１】
本発明は、パチンコ機、スロットマシン等の遊技機に用いられる遊技機用制御基板ユニットの技術に関する。
【背景技術】
【０００２】
パチンコ機、スロットマシン等の遊技機においては、この遊技機の作動を制御する制御基板と、この制御基板を内部に収容する基板ケースとから構成される遊技機用制御基板ユニットが設けられる。そして、この遊技機用制御基板ユニットにおいては、いわゆる二個一による不正行為を防止するために、種々の技術が公知となっている。
なお、二個一の不正行為とは、基板ケース内部に収容されている制御基板を取り出して制御基板に実装されているＲＯＭ等の電子部品を不正な電子部品に交換し、不正な電子部品に交換した制御基板と無傷の基板ケースとで不正な遊技機用制御基板ユニットを構成し、この不正な遊技機用制御基板ユニットが遊技機で使用される不正行為である。
【０００３】
例えば、ベース部材（以下、「ケース本体」）と、蓋部材（以下、「蓋体」）とから構成される基板ボックス（以下、「基板ケース」）の内部に制御基板が収容された状態で、制御基板とケース本体と蓋体とが、各々が有する部材を組み合わせて形成されるカシメ構造（以下、「かしめ部」）により、かしめられて固定される技術が公知となっている（例えば、特許文献１参照）。
この技術によれば、基板ケースから制御基板を取り外すためには、かしめ部を破壊する必要がある。すなわち、基板ケースから制御基板を取り外した場合には、制御基板におけるかしめ部を構成する部材に破壊跡が形成されるため、前記不正行為が行われたか否かを、この破壊跡の有無を視認することにより、認識することができる。
【先行技術文献】
【特許文献】
【０００４】
【特許文献１】特開２００６−１２９９３９号公報
【発明の概要】
【発明が解決しようとする課題】
【０００５】
しかしながら、特許文献１に記載の技術では、制御基板とケース本体と蓋体とが単一のかしめ部にてかしめられて固定されるので、例えば蓋体をケース本体から取り外すためのかしめ部の破壊跡と、制御基板を基板ケースから取り外すためのかしめ部の破壊跡とが単一のかしめ部、つまり同一箇所に形成されることとなる。したがって、単一のかしめ部に形成された破壊跡を視認しただけでは、この破壊跡が何の部材を取り外すために形成されたのかを認識することが困難であるという問題点があった。
その結果、前記不正行為が行われた場合には、制御基板を基板ケースから取り外すためのかしめ部の破壊跡が前記単一のかしめ部に位置することから、蓋体をケース本体から取り外すためのかしめ部における破壊跡であるのか、制御基板を基板ケースから取り外すためのかしめ部における破壊跡であるのか、言い換えると、蓋体をケース本体から取り外したことを示す破壊跡であるのか、前記不正行為が行われたことを示す破壊跡であるのか、単一のかしめ部に形成された破壊跡を視認するだけでは、前記不正行為を容易に認識（発見）することが困難であった。
【０００６】
本発明は、上記のような問題点に鑑みてなされたものであり、その解決しようとする課題は、いわゆる二個一による不正行為を容易に認識することができる遊技機用制御基板ユニットを提供するものである。
【課題を解決するための手段】
【０００７】
本発明の解決しようとする課題は以上の如くであり、次にこの課題を解決するための手段を説明する。
【０００８】
即ち、請求項１においては、蓋体とケース本体とを組み付け、固定手段を用いて組み付け状態の前記蓋体と前記ケース本体とを固定することにより形成され、前記固定手段により固定された固定部を破壊することにより前記組み付け状態が解除可能な基板ケースと、前記基板ケース内に収容されて、前記蓋体または前記ケース本体に取り付けられるとともに、取り付けられた側の前記蓋体または前記ケース本体で電子部品を実装する実装面が被覆される制御基板と、前記制御基板の一部からなる制御基板側固着部と、前記制御基板が取り付けられる前記蓋体または前記ケース本体であって、前記固定部とは異なる箇所に配設される基板ケース側固着部と、前記制御基板側固着部と前記基板ケース側固着部とを取り外し困難に固着する固着手段と、前記制御基板における前記制御基板側固着部の周囲を取り囲んで、前記蓋体と前記ケース本体との組み付け状態の解除に連係せず前記制御基板側固着部を前記制御基板から任意に分離可能であって、前記制御基板側固着部を分離させた場合であっても前記制御基板の機能に影響を与えることがない脆弱部と、を具備するものである。
【発明の効果】
【０００９】
本発明の効果として、以下に示すような効果を奏する。
【００１０】
遊技機用制御基板ユニットで使用されている制御基板が、基板ケースから取り外された基板であるか否か、つまり、いわゆる二個一による不正な遊技機用制御基板ユニットであるか否かを、蓋体とケース本体との固定箇所とは異なる箇所である制御基板の切断跡（脆弱部）を視認することにより、容易に認識することができる。
【図面の簡単な説明】
【００１１】
【図１】本発明の一実施形態に係る制御基板ユニットの全体的な構成を示す斜視図。
【図２】同じく、制御基板ユニットの構成を示す分解斜視図。
【図３】同じく、制御基板ユニットの構成を示す底面断面図。
【図４】同じく、蓋体および該蓋体に取り付けられた制御基板の構成を示す正面断面図。
【図５】（ａ）同じく、制御基板の制御基板側固着部と蓋体の基板ケース側固着部との固着の構成を示す正面概略図。（ｂ）同じく、制御基板の基板側固着部と蓋体の蓋側固着部との固着の構成を示す底面概略図。
【図６】本発明の別実施形態に係る、蓋体および該蓋体に取り付けられた制御基板の構成を示す正面断面図。
【図７】（ａ）本発明の一実施形態に係る、脆弱部の切断後における、制御基板の制御基板側固着部と蓋体の基板ケース側固着部との固着の構成を示す正面概略図。（ｂ）発明の一実施形態に係る、脆弱部の切断後における、制御基板の基板側固着部と蓋体の蓋側固着部との固着の構成を示す底面概略図。
【図８】同じく、脆弱部の切断後における、蓋体および該蓋体に取り付けられた制御基板（制御基板側固着部および制御基板本体）の構成を示す正面断面図。
【図９】同じく、脆弱部の切断後における、蓋体および該蓋体に取り付けられた制御基板（制御基板側固着部）の構成を示す正面断面図。
【図１０】同じく、脆弱部の切断後における、制御基板ユニットの構成を示す正面概略図。
【図１１】（ａ）本発明の別実施形態に係る、制御基板の制御基板側固着部と蓋体の基板ケース側固着部との固着の構成を示す正面概略図。（ｂ）本発明の別実施形態に係る、制御基板の基板側固着部と蓋体の蓋側固着部との固着の構成を示す底面概略図。
【発明を実施するための形態】
【００１２】
本発明の一実施形態に係る制御基板ユニット１について、図１から図３を用いて説明する。
【００１３】
制御基板ユニット１は、パチンコ機やスロットマシン等の遊技機の作動を制御する制御基板２と、この制御基板２を内部に収容する基板ケース３とにより構成される。制御基板ユニット１は、遊技機の裏面側に配置される。
【００１４】
制御基板２は、遊技機の作動を制御するためのプログラムを記憶したＲＯＭや、遊技機が有する他の基板や電源等と接続するためのコネクタ７等の電子部品が実装される部材である。制御基板２は、電子部品の実装面（以下、「実装面６」）を蓋体５側（前方）へ向けた状態で、その長手方向を左右方向とし、その短手方向を上下方向として配置され、蓋体５の内部に取り付けられる。
コネクタ７は、複数設けられ、制御基板２の左側端部および下側端部に、それぞれ上下方向および左右方向に並設される（図４参照）。また、制御基板２には、該制御基板２を蓋体５へ取り付けるための取付孔８が設けられる。取付孔８は、正面視で制御基板２の四隅にそれぞれ配置され、制御基板２を前後方向に（制御基板２の表裏面間を）貫通して形成される。
【００１５】
基板ケース３は、ポリカーボネート（Ｐｏｌｙｃａｒｂｏｎａｔｅ：ＰＣ）等の透明、かつ硬質な合成樹脂材料等により構成され、その内部に制御基板２を収容する中空状の部材である。基板ケース３は、ケース本体４と、蓋体５とにより構成される。
【００１６】
ケース本体４は、蓋体５と共に基板ケース３の主たる構造体を成す部材である。ケース本体４は、蓋体５との対向側である前側が開口された略直方体の箱状に形成される。ケース本体４は、その長手方向を左右方向とし、その短手方向を上下方向として配置され、ケース本体４の後端部（背板）が遊技機の裏面側と対向して該遊技機に支持される。ケース本体４には、本体側かしめ部１３が備えられる。
【００１７】
ケース本体４の本体側かしめ部１３は、後述する蓋体５の蓋側かしめ部１４と共に、固定手段である嵌入部材２１を用いてケース本体４と蓋体５とを固定する部材である。つまり、ケース本体４の本体側かしめ部１３は、ケース本体４と蓋体５との（ケース本体４側の）固定箇所となる。本体側かしめ部１３は、ケース本体４の上端部（天板）に設けられる。本体側かしめ部１３は、複数（本実施形態においては６つ）設けられ、ケース本体４の長手方向、すなわち左右方向に適宜の間隔ごとに配置される。
【００１８】
蓋体５は、ケース本体４と共に基板ケース３の主たる構造体を成して、制御基板２が取り付けられる部材である。蓋体５は、ケース本体４との対向側である後側が開口された、ケース本体４と同程度の大きさの略直方体の箱状に形成される。蓋体５は、その長手方向を左右方向とし、その短手方向を上下方向として配置される。蓋体５の前板には、貫通孔１５が設けられる。貫通孔１５は、制御基板２のコネクタ７と略同数設けられ、それぞれ蓋体５の前板を前後方向へ貫通して形成される。そして、貫通孔１５を通じて、基板ケース３の内部に取り付けられた制御基板２のコネクタ７が、外方へ突出される。また、蓋体５には、ボス部１６と、蓋側かしめ部１４が備えられる。
【００１９】
蓋体５のボス部１６は、制御基板２を蓋体５に取り付けるための部材である。ボス部１６は、複数（本実施形態においては４つ）設けられ、正面視で蓋体５の前板の四隅にそれぞれ配置される。ボス部１６は、略円筒状に形成されて、蓋体５の前板の内側面から後方へ向けて突出される。ボス部１６の内部には、内孔１８が軸心方向に形成され、ボス部１６の後端面が後方へ向けて開口される。図３に示すように、ボス部１６の後端面は、蓋体５の上下および左右側端部（天板、底板、および左右側板）の後端部よりも前方に位置し、底面視でボス部１６が蓋体５の内部に納まるように構成される。また、制御基板２が蓋体５に取り付けられる際には、ボス部１６の後端面に制御基板２が当接される。つまり、制御基板２が蓋体５に取り付けられる際に、底面視で制御基板２が蓋体５の内部に納まるように構成される。
【００２０】
蓋体５の蓋側かしめ部１４は、ケース本体４の本体側かしめ部１３と共に、固定手段である嵌入部材２１を用いてケース本体４と蓋体５とを固定する部材である。つまり、蓋体５の蓋側かしめ部１４は、ケース本体４と蓋体５との（蓋体５側の）固定箇所となる。蓋側かしめ部１４は、蓋体５の上端部（天板）に設けられる。蓋側かしめ部１４は、本体側かしめ部１３と同数（本実施形態においては６つ）設けられる。各蓋側かしめ部１４は、蓋体５がケース本体４に組み付けられたときに（基板ケース３が組み立てられたときに）、対応する本体側かしめ部１３と正面視で重複するように（一致するように）配置される。
【００２１】
次に、制御基板ユニット１の組み立て構成について、図２および図３を用いて説明する。
【００２２】
制御基板ユニット１の組み立て時には、まず、制御基板２を蓋体５に取り付ける。具体的には、蓋体５の内部で、制御基板２を、電子部品の実装面６を前方（蓋体５の内側）へ向けた状態で、制御基板２の長手方向を左右方向とし、短手方向を上下方向として配置する。そして、制御基板２を、蓋体５のボス部１６の後端面に当接させて、蓋体５の（ボス部１６の）内孔１８と制御基板２の取付孔８とにネジ等の取付部材２２を用いて、制御基板２を蓋体５に取り付ける。
このような構成により、制御基板２が蓋体５に取り付けられた状態では、電子部品の実装面６は蓋体５の内側に収容される。換言すれば、制御基板２の電子部品の実装面６は、蓋体５に被覆された状態となるので、制御基板２の電子部品に対して不正行為が行なわれることを防止することができる。
【００２３】
なお、本実施形態において、制御基板２は、基板ケース３を構成するケース本体４と蓋体５とのうち、蓋体５に取り付けられる構成としているが、これに限定するものではない。すなわち、制御基板２は、ケース本体４に取り付けられる構成であってもよい。この場合には、制御基板２は、ケース本体４の内部で、電子部品の実装面６を後方（ケース本体４の内側）へ向けた状態で、配置される。つまり、制御基板２がケース本体４に取り付けられた状態では、電子部品の実装面６は、ケース本体４の内側に収容される。換言すれば、制御基板２の電子部品の実装面６は、ケース本体４に被覆された状態となるので、制御基板２の電子部品に対して不正行為が行なわれることを防止することができる。
【００２４】
次に、ケース本体４と蓋体５とを組み付けて、基板ケース３を組み立てる。具体的には、蓋体５を、その後側の開口部がケース本体４の前側の開口部と対向するようにケース本体４の前方へ移動させ、ケース本体４との左右方向の位置を合わせる。そして、蓋体５を、少し下方からケース本体４に近づけ、ケース本体４に嵌合させる。その後、蓋体５を、ケース本体４に嵌合したまま、ケース本体４に対して上方へスライド移動させる。そして、蓋体５の各蓋側かしめ部１４を、ケース本体４の各本体側かしめ部１３に下方から嵌め込んで、蓋体５をケース本体４に組み付ける。
【００２５】
この際、各蓋側かしめ部１４が、それぞれ対応する本体側かしめ部１３と前後に並ぶこととなる。そして、スプリングピン等の嵌入部材２１を、蓋側かしめ部１４および本体側かしめ部１３に前方または後方から取り外し不能に嵌入して、本体側かしめ部１３と蓋側かしめ部１４とをかしめて、ケース本体４と蓋体５とを固定する。こうして、基板ケース３の組み立てが完了して、制御基板ユニット１の組み立てが完了する。
なお、本実施形態においては、それぞれ合計６つ設けられる本体側かしめ部１３と蓋側かしめ部１４とのうち、前後に並べられた４組の本体側かしめ部１３と蓋側かしめ部１４とを用いて、ケース本体４と蓋体５とを固定する。そして、残りの２組の本体側かしめ部１３と蓋側かしめ部１４は、予備とされる。
【００２６】
次に、本発明に係る「基板ケース側固着部」および「制御基板側固着部」の構成について、図４および図５を用いて説明する。
【００２７】
「基板ケース側固着部」とは、基板ケース３の一部からなる部位、または部材である。「基板ケース側固着部」は、制御基板２が蓋体５に取り付けられた状態で、後述する固着手段を介して制御基板２の制御基板側固着部９が、容易に取り外しできないように固着されるものである。「基板ケース側固着部」は、ケース本体４と蓋体５との固定箇所である本体側かしめ部１３および蓋側かしめ部１４とは異なる箇所に配置される。
本実施形態においては、「基板ケース側固着部」は、蓋体５に設けられる。なお、制御基板２がケース本体４に取り付けられる構成であれば、「基板ケース側固着部」は、ケース本体４に設けられる。本実施形態においては、「基板ケース側固着部」は、蓋体５に４つ設けられたボス部１６のうち、１つのボス部１６を用いるものである。具体的には、正面視で蓋体５の前板の四隅にそれぞれ配置されたボス部１６のうち、右上のボス部１６を基板ケース側固着部（以下、基板ケース側固着部１７）として用いる。なお、基板ケース側固着部１７は、ケース本体４と蓋体５との固定箇所である本体側かしめ部１３および蓋側かしめ部１４とは異なる箇所に配置されている。
【００２８】
なお、本実施形態において、基板ケース側固着部１７は、４つのボス部１６のうち、正面視で右上のボス部１６を用いるが、この構成に限定するものではない。すなわち、基板ケース側固着部１７は、４つのボス部１６のうち、例えば正面視で右上以外のボス部１６を用いることもできるし、右上と左下の（２つの）ボス部１６を用いることもできる。また、ボス部１６を用いるのではなく、別途基板ケース側固着部１７を設けてもよい。つまり、基板ケース側固着部１７は、制御基板２が蓋体５に取り付けられた状態で、制御基板２の「制御基板側固着部」が容易に取り外しできないように固着される、蓋体５の一部からなる部位、または部材であり、かつケース本体４と蓋体５との固定箇所とは異なる箇所に配置される構成であればよい。
【００２９】
「制御基板側固着部」とは、制御基板２の一部からなる部位である。「制御基板側固着部」は、制御基板２が蓋体５に取り付けられた状態で、後述する固着手段を介して蓋体５の基板ケース側固着部１７に、容易に取り外しできないように固着されるものである。
本実施形態においては、「制御基板側固着部」は、制御基板２に４つ設けられた取付孔８のうち、１つの取付孔８の周囲における制御基板２の一部からなる部位を用いるものである。具体的には、正面視で制御基板２の四隅にそれぞれ配置された取付孔８のうち、右上の取付孔８、つまり蓋体５の基板ケース側固着部１７（正面視で蓋体５の前板の右上に配置されるボス部１６）と対応する取付孔８の周囲における制御基板２の一部からなる部位を基板側固着部（以下、制御基板側固着部９）として用いる。
なお、制御基板２において、制御基板側固着部９（換言すれば、電子部品が実装されていない部分）と、電子部品の実装面６側に電子部品が実装されている部分（以下、制御基板本体１２）とは、制御基板２に形成される後述する脆弱部１０により区画される。
また、制御基板側固着部９には、制御基板２における電子部品の実装面６側であっても、電子部品は実装されていない。さらに、制御基板側固着部９には、制御基板２が脆弱部１０にて制御基板側固着部９と制御基板本体１２とに分離された際に、制御基板２における電子回路の機能に影響を与えるような回路パターンは形成されていない。
【００３０】
なお、本実施形態において、制御基板側固着部９は、制御基板２の４つの取付孔８のうち、正面視で右上の取付孔８の周囲における制御基板２の一部からなる部位を用いるが、この構成に限定するものではない。すなわち、制御基板側固着部９は、４つの取付孔８のうち、例えば正面視で右上以外の取付孔８の周囲における制御基板２の一部からなる部位を用いることもできるし、右上と左下の（２つの）取付孔８の周囲における制御基板２の一部からなる部位を用いることもできる。また、４つの取付孔８以外に別途固着部用の孔を設けて、この固着部用の孔の周囲における制御基板２の一部からなる部位を基板ケース側固着部１７としてもよい。つまり、制御基板側固着部９は、制御基板２が蓋体５に取り付けられた状態で、蓋体５の基板ケース側固着部１７に、容易に取り外しできないように固着される制御基板２の一部からなる部位であって、かつ電子部品の実装面６側であっても電子部品が実装されておらず、制御基板側固着部９を制御基板本体１２から分離した際に制御基板２の機能に影響を与えない構成であればよい。
【００３１】
例えば、図６に示すように、制御基板側固着部９と別実施形態に係る第二制御基板側固着部１９においては、制御基板２の上端部の左右略中央部に配置されている。具体的には、制御基板２の上端部の左右略中央部に、蓋体５の基板ケース側固着部１７に固着手段を介して第二制御基板側固着部１９を固着させるための固着部用の孔が形成されて、この固着部用の孔の周囲における制御基板２の一部からなる部位が、第二制御基板側固着部１９として用いられる。また、第二制御基板側固着部１９には、制御基板２における電子部品の実装面６側であっても電子部品は実装されていない。また、制御基板２において、制御基板側固着部９と制御基板本体１２とは、制御基板２に形成される後述する脆弱部１０により区画される。なお、第二制御基板側固着部１９と対応する位置に、蓋体５の基板ケース側固着部１７が形成されることとなる。
【００３２】
次に、本発明に係る「脆弱部」の構成について、図４および図５を用いて説明する。
【００３３】
「脆弱部」とは、制御基板２の一部からなる部位である。「脆弱部」は、ニッパー等の切断用工具を使用して制御基板２を切断（分離）可能とするものである。
本実施形態において、脆弱部１０は、本発明に係る「脆弱部」の一実施形態である。脆弱部１０は、制御基板２が断続的に前後方向に貫通され、正面視でいわゆるミシン目状に打ち抜かれることにより形成される。脆弱部１０は、制御基板２において、正面視で制御基板２の右上に配置される制御基板側固着部９の周囲を取り囲むことによって、制御基板側固着部９と制御基板本体１２とを区画するように形成される。本実施形態において、脆弱部１０は、制御基板２において、上端縁部から右端縁部を右斜め方向に横断するように形成される。
このような構成により、脆弱部１０がニッパー等の切断用工具により切断されると、制御基板２の一部からなる制御基板側固着部９が、制御基板２（制御基板本体１２）から分離されて別体となる。
【００３４】
なお、本実施形態において、脆弱部１０は、正面視でいわゆるミシン目状に打ち抜かれることにより形成されるが、この構成に限定するものではない。例えば、脆弱部１０を、いわゆるミシン目状ではなく、制御基板２の厚さを他の部位と比べて薄くする構成とすることができる。つまり、脆弱部１０は、ニッパー等の切断用工具を使用して制御基板２を切断して、制御基板側固着部９と制御基板本体１２とが分離可能な、制御基板２の一部からなる部位であればよい。
【００３５】
なお、脆弱部１０は、制御基板２に実装されたコネクタ７から離隔された位置に配置することが望ましい。ケーブル（不図示）をコネクタ７に接続させる際に、コネクタ７を介して脆弱部１０に負荷がかかり、この脆弱部１０が意図に反して破損する場合があるからである。
【００３６】
次に、本発明に係る「固着手段」の構成について、図５を用いて説明する。
【００３７】
「固着手段」とは、制御基板２が蓋体５に取り付けられた状態で、制御基板２の制御基板側固着部９を、蓋体５の基板ケース側固着部１７に、容易に取り外しできないように固着する部材である。本実施形態においては、「固着手段」として、圧入ピン２０と、接着剤２３とを用いるものである。
なお、本実施形態においては、「固着手段」である圧入ピン２０は、４つ用いられた取付部材２２のうち、１つの取付部材２２を用いるものである。すなわち、圧入ピン２０は、「固着手段」の一実施形態であると共に、取付部材２２の一実施形態である。
【００３８】
圧入ピン２０は、制御基板側固着部９の取付孔８と基板ケース側固着部１７の内孔１８とに後方から圧入される。そして、圧入ピン２０が制御基板側固着部９と基板ケース側固着部１７とを跨いだ状態に保持されて、制御基板側固着部９が基板ケース側固着部１７に取り付けられる（固着される）。また、圧入ピン２０は、制御基板側固着部９の取付孔８と基板ケース側固着部１７の内孔１８とに一旦圧入されると、容易に引き抜くことができない。つまり、圧入ピン２０により、制御基板側固着部９が基板ケース側固着部１７から容易に取り外すことができないように固着されている。
なお、前記「制御基板２の制御基板側固着部９が蓋体５の基板ケース側固着部１７に容易に取り外すことができないように固着されている」とは、例えば、制御基板側固着部９と基板ケース側固着部１７とを取り外そうとすると、制御基板側固着部９または基板ケース側固着部１７が破壊されてしまう程度に固着されている状態を指すものとする。
このように、基板ケース側固着部１７として用いられるボス部１６の取付孔８には、取付部材２２として、取り外しが容易に可能なネジが挿通されるのではなく、容易に取り外しができない圧入ピン２０が圧入される。
【００３９】
接着剤２３は、制御基板側固着部９と、該制御基板側固着部９に当接した基板ケース側固着部１７と、を接着固定するものである。接着剤２３は、蓋体５の基板ケース側固着部１７の後端面、つまり蓋体５の基板ケース側固着部１７と制御基板２の制御基板側固着部９との当接面に塗布される。
なお、本実施形態において、基板ケース側固着部１７は、蓋体５の４つのボス部１６のうち、正面視で右上のボス部１６を用いるものである。したがって、基板ケース側固着部１７の後端面、つまり基板ケース側固着部１７における制御基板２の制御基板側固着部９との当接面とは、蓋体５とケース本体４とを組み付けた状態において、制御基板２に当接される前記右上のボス部１６の後端面となる。
また、本実施形態において、制御基板側固着部９は、制御基板２の一部からなる部位である。したがって、制御基板側固着部９における基板ケース側固着部１７との当接面とは、蓋体５とケース本体４とを組み付けた状態において、前記右上のボス部１６の後端面に当接される制御基板２の実装面６の一部となる。
【００４０】
このように、制御基板側固着部９と基板ケース側固着部１７とを接着剤２３により接着する構成とすることにより、固着手段として圧入ピン２０のみを用いた場合と比べて、制御基板側固着部９を基板ケース側固着部１７に、より強く固着させることができる。なお、この接着剤２３としては、従来公知の各種の接着剤を用いることができるが、特に耐熱性の接着剤を用いることが望ましい。耐熱性の接着剤を用いることによって、例えば、不正行為により、制御基板側固着部９と基板ケース側固着部１７との固着部分を加熱したとしても、その加熱により接着剤２３の粘着性が損なわれることがなく、この接着剤２３による制御基板側固着部９と基板ケース側固着部１７との固着状態を容易に解除することができない。
【００４１】
このような構成により、制御基板２が蓋体５に取り付けられた状態から、例えば制御基板２の実装面６に実装されている電子部品に不正行為を行なうため、制御基板２を蓋体５から取り外そうとしても、制御基板２の制御基板側固着部９が蓋体５の基板ケース側固着部１７に容易に取り外すことができないように固着されているので、制御基板２を蓋体５から取り外すことができず、このような不正行為を防止することができる。
【００４２】
なお、本実施形態においては、固着手段として、圧入ピン２０と接着剤２３とを用いたが、これに限定するものではない。つまり、圧入ピン２０のみ、または接着剤２３のみを用いる構成であってもよいし、他の部材を用いてもよい。つまり、制御基板側固着部９と基板ケース側固着部１７との固着状態が容易に解除することができない構成であればよい。
【００４３】
次に、制御基板ユニット１から制御基板２を取り外す構成について、図７から図１０を用いて説明する。
【００４４】
パチンコ機やスロットマシン等の遊技機においては、検査等の理由のため制御基板２を制御基板ユニット１から取り外す場合がある。このように、制御基板２を制御基板ユニット１から取り外す場合には、まず、蓋体５をケース本体４から取り外す。具体的には、嵌入部材２１が嵌入された蓋側かしめ部１４または本体側かしめ部１３を破壊して、本体側かしめ部１３と蓋側かしめ部１４とのかしめ状態を解除して、ケース本体４と蓋体５との固定状態を解除する。その後、蓋体５を、ケース本体４に対して下方へスライド移動させ、ケース本体４から取り外す。
【００４５】
このような構成により、制御基板ユニット１において、蓋体５をケース本体４から取り外す場合には、蓋側かしめ部１４または本体側かしめ部１３が破壊されることとなる。したがって、その後、再び蓋体５がケース本体４に取り付けられ、予備の蓋側かしめ部１４および本体側かしめ部１３を用いて制御基板ユニット１が組み立てられたとしても、蓋側かしめ部１４または本体側かしめ部１３の破壊跡を視認すれば、蓋体５がケース本体４から取り外されたことを容易に認識することができる。その結果、蓋体５がケース本体４から不正行為により取り外された場合であっても、その不正行為を視覚的に容易に認識することができる。
【００４６】
次に、制御基板２を蓋体５から取り外す。まず、制御基板２の脆弱部１０をニッパー等の切断用工具を用いて切断する。これにより、制御基板２の一部からなる制御基板側固着部９が、圧入ピン２０および接着剤２３を介して基板ケース側固着部１７に固着されたまま、制御基板２（制御基板本体１２）から分離されて別体となる。そして、次に、制御基板２を蓋体５に取り付けている４つの取付部材２２のうち、固着手段として用いられている右上の取付部材２２（圧入ピン２０）以外の３つの取付部材２２を、蓋体５の（ボス部１６の）内孔１８と制御基板２の取付孔８とから取り外す。これによって、制御基板２は、脆弱部１０よりも右上部分（制御基板側固着部９）が欠けた状態（制御基板本体１２）となって、蓋体５から取り外すことができる（図９参照）。
【００４７】
このような構成により、制御基板本体１２を蓋体５から取り外した場合、制御基板本体１２が脆弱部１０よりも右上部分が欠けた状態であっても、その右上部分（制御基板側固着部９）には電子部品が実装されておらず、制御基板２における電子回路の機能に影響を与えるような回路パターンも形成されていないので、換言すれば、取り外した側の制御基板本体１２の実装面６に実装された電子部品および回路パターンは破壊されていないので、制御基板本体１２は遊技機の作動を制御するという制御基板としての機能が損なわれていない。したがって、検査が終われば、制御基板本体１２を蓋体５に再び取り付けて、制御基板ユニット１を組み立てることができる。なお、この場合には、制御基板本体１２は、先ほど取り外した３つの取付部材２２を用いて蓋体５に取り付けられる。
【００４８】
なお、前述したように（図６参照）、制御基板ユニット１において、制御基板側固着部９とは別実施形態に係る第二制御基板側固着部１９を用いた場合には、制御基板２を蓋体５に取り付ける取付部材２２は、本発明に係る「固着部」として用いない。換言すれば、検査が終わり、制御基板本体１２を蓋体５に再び取り付けて、制御基板ユニット１を再び組み立てる場合に、制御基板本体１２は、先ほど取り外した４つの取付部材２２を用いて蓋体５に取り付けることができる。したがって、制御基板本体１２は、取付部材２２により正面視で四隅をそれぞれ取り付けられるので、より確実に取り付けられる。
【００４９】
また、前述したように制御基板ユニット１を再び組み立てた場合には、図１０に示すように、制御基板２の脆弱部１０が切断されていることを、透明な合成樹脂材料等で形成される基板ケース３を通じて視認することができる。つまり、この脆弱部１０の切断（破壊）跡を視認すれば、制御基板ユニット１（さらに詳細には、蓋体５）から制御基板２が一旦取り外されて、その後に制御基板２が再び蓋体５に取り付けられたことを容易に認識することができる。その結果、不正行為により制御基板２が蓋体５から取り外された後に、蓋体５に再び取り付けられた場合であっても、制御基板２の脆弱部１０の切断跡を視認することにより、制御基板２が取り外されたことを容易に認識することができる。
【００５０】
また、例えば制御基板ユニット１が、別の遊技機の制御基板ユニット１の基板ケース３を用いて組み立てられた場合、つまり、無傷（蓋側かしめ部１４の破壊跡がない）の蓋体５と、無傷（本体側かしめ部１３の破壊跡がない）のケース本体４とを用意して、これらを用いて内部に（不正行為が行われた後の）制御基板２を収容した状態で無傷（蓋側かしめ部１４および本体側かしめ部１３に破壊跡がない）の基板ケース３が組み立てられた（いわゆる二個一による不正行為が行われた）場合であっても、制御基板ユニット１（さらに詳細には、蓋体５）から一度でも取り外された制御基板２には脆弱部１０が切断された切断跡が残っている。したがって、基板ケース３の蓋側かしめ部１４および本体側かしめ部１３が無傷である一方、制御基板２には脆弱部１０が切断された切断跡が残っている。つまり、蓋体５とケース本体４との固定箇所である蓋側かしめ部１４および本体側かしめ部１３と、制御基板２の脆弱部１０の切断跡とを視認することにより、二個一による不正行為が行なわれたことを容易に認識することができる。
【００５１】
また、蓋体５とケース本体４との固定状態を解除するために破壊する蓋側かしめ部１４および本体側かしめ部１３と、制御基板２と蓋体５との固定状態を解除するために切断する脆弱部１０とは、それぞれ異なる場所に配置される。換言すれば、蓋体５とケース本体４との固定状態を解除するために蓋側かしめ部１４または本体側かしめ部１３を破壊した場合と、制御基板２（制御基板本体１２）を制御基板側固着部９および基板ケース側固着部１７から分離させるために脆弱部１０を切断した場合とでは、それぞれ異なる場所に破壊（切断）跡が残ることとなる。したがって、それぞれの破壊（切断）跡は、視覚的に容易に区別することができ、不正行為がどの部材に対して行なわれたのかを視覚的に容易に認識することができる。
【００５２】
次に、本発明に係る「基板ケース側固着部」の別実施形態である第二基板ケース側固着部２７の構成について、図１１を用いて説明する。
【００５３】
第二基板ケース側固着部２７は、正面視で蓋体５の前板の四隅にそれぞれ配置されたボス部１６のうち、右上のボス部１６を用いる。第二基板ケース側固着部２７は、略三角筒状に形成されて、蓋体５の前板から後方へ向けて突出される。第二基板ケース側固着部２７の内部には、内孔１８が軸心方向に形成され、第二基板ケース側固着部２７の後端面が後方へ向けて開口される。第二基板ケース側固着部２７の後端面は、正面視で制御基板２の一部からなる制御基板側固着部９と当接される。
なお、制御基板側固着部９は、制御基板２の一部からなる部位である。したがって、制御基板側固着部９における第二基板ケース側固着部２７との当接面とは、蓋体５とケース本体４とを組み付けた状態において、前記右上のボス部１６の後端面に当接される制御基板２の実装面６の一部となる。
そして、第二基板ケース側固着部２７の後端面と制御基板側固着部９（さらに詳しくは実装面６の一部）との当接部分の面積は制御基板側固着部９の面積と略同一となるように設定される。換言すれば、第二基板ケース側固着部２７の後端面は、制御基板側固着部９と略同一形状に形成され、第二基板ケース側固着部２７に制御基板側固着部９が固着された状態で、正面視で第二基板ケース側固着部２７と制御基板側固着部９とが重複するように（一致するように）構成される。
また、第二基板ケース側固着部２７に制御基板側固着部９を固着する固着手段として、前記圧入ピン２０と、前記接着剤２３とを用いる。
なお、本実施形態において、第二基板ケース側固着部２７の後端面は、制御基板側固着部９と略同一形状に形成されているが、この構成に限定するものではない。つまり、第二基板ケース側固着部２７の後端面は、制御基板側固着部９と略同一形状に形成されていなくても、第二基板ケース側固着部２７の後端面と制御基板側固着部９との当接部分の面積が、制御基板側固着部９の面積と略同一となるように設定される構成であればよい。
【００５４】
このように構成するので、第二基板ケース側固着部２７の後端面と制御基板側固着部９との当接部分には、より広範囲に接着剤２３を塗布できると共に、圧入ピン２０を制御基板側固着部９の取付孔８と第二基板ケース側固着部２７の内孔１８とに制御基板側固着部９と第二基板ケース側固着部２７とを跨いだ状態に後方から圧入されるので、制御基板側固着部９が第二基板ケース側固着部２７に、より強く取り付けられる（固着される）。つまり、不正行為により蓋体５から制御基板２を取り外されることを、より確実に防止することができる。
【００５５】
以上のように、制御基板ユニット１は、蓋体５とケース本体４とを組み付け、嵌入部材２１（固定手段）を用いて組み付け状態の前記蓋体５と前記ケース本体４とを固定することにより形成される基板ケース３と、前記基板ケース３内に収容されて、前記蓋体５または前記ケース本体４に取り付けられるとともに、取り付けられた側の前記蓋体５または前記ケース本体４で電子部品を実装する実装面６が被覆される制御基板２と、前記制御基板２の一部からなる制御基板側固着部９と、前記制御基板２が取り付けられる前記蓋体５または前記ケース本体４であって、嵌入部材２１（固定手段）による前記蓋体５と前記ケース本体４との固定箇所とは異なる箇所に配設される基板ケース側固着部１７と、前記制御基板側固着部９と前記基板ケース側固着部１７とを取り外し困難に固着する圧入ピン２０および接着剤２３（固着手段）と、前記制御基板２における前記制御基板側固着部９の周囲を取り囲んで任意に切断可能に形成される脆弱部１０と、を具備するものである。
【００５６】
このように構成するので、制御基板ユニット１で使用されている制御基板２が、基板ケース３から取り外された基板であるか否か、つまり、いわゆる二個一による不正な制御基板ユニット１であるか否かを、蓋体５とケース本体４との固定箇所（つまり、本体側かしめ部１３および蓋側かしめ部１４）とは異なる箇所である制御基板２の切断跡（脆弱部１０）を視認することにより、容易に認識することができる。
【００５７】
また、制御基板ユニット１は、前記第二基板ケース側固着部２７は、前記制御基板２側の端面が前記制御基板側固着部９に当接して、その当接部分の面積が該制御基板側固着部９の面積と略同一となるように形成され、前記固着手段には、圧入ピン２０および接着剤２３が用いられ、前記接着剤２３を、前記当接部分に塗布すると共に、前記圧入ピン２０を、前記制御基板側固着部９と前記第二基板ケース側固着部２７とを跨いだ状態に圧入するものである。
【００５８】
このように構成するので、不正行為により制御基板２が蓋体５から取り外された場合に、不正行為が行なわれたことを、視覚的に容易に認識することができると共に、不正行為により蓋体５から制御基板２を取り外されることを、より確実に防止することができる。
【符号の説明】
【００５９】
１：制御基板ユニット，２：制御基板，３：基板ケース，４：ケース本体，５：蓋体，９：制御基板側固着部，１０：脆弱部，１７：基板ケース側固着部，２０：圧入ピン，２３：接着剤
【図１】
0005423980.tif 000002
【図２】
0005423980.tif 000003
【図３】
0005423980.tif 000004
【図４】
0005423980.tif 000005
【図５】
0005423980.tif 000006
【図６】
0005423980.tif 000007
【図７】
0005423980.tif 000008
【図８】
0005423980.tif 000009
【図９】
0005423980.tif 000010
【図１０】
0005423980.tif 000011
【図１１】
0005423980.tif 000012